(57)【要約】【課題】手指の乾燥を行っている際に装置の周辺に水滴や雑菌等を飛散させることがなく、また両手の乾燥を確実に実施させ、装置内に挿入した手指の動きと送風の吐出動作がずれたりせず、さらには手の指の股や爪の付け根などの細部の乾燥を行うことができる等、衛生的かつ快適に使用することができる手指乾燥装置を提供する。【解決手段】本体の上部に設けた開口部２、該開口部の内壁側からエアを噴出させる吐出手段１０と、該開口部に連通して本体内部側にエアを吸引するエア通路手段と、該エア通路手段内に設けた清浄装置と、該エア通路手段内のエアを吐出手段に循環させる強制循環手段とを備え、またエア通路手段の循環エアにオゾン発生装置によるオゾンを混合させ、手指乾燥装置の運転停止時間が一定時間以上に達した場合に自動的に一定時間運転を行うようにし、さらに挿入口１１の近傍に左右の手指の挿入を検知する検知手段を配置した等の構成を有する。【選択図】図１
0003141394.tif 000002
【実用新案登録請求の範囲】
【請求項１】
装置本体の上面に手指の挿入口を設け、該装置本体の内部の乾燥室内に噴出手段と赤外線照射手段とを配設させ、手指の挿入を検知する検知手段を乾燥室外に配設したことを特徴とする手指乾燥装置。
【請求項２】
装置本体の上面に手指の挿入口を設け、該装置本体の内部の乾燥室内に噴出手段と赤外線照射手段とを配設させ、前記装置本体の上部を接地面に対して使用者の方向に向けて斜めに形成し、該装置本体の上面を幅広に開口させると共に前記挿入口を装置本体の開口部を閉塞させる別体の蓋体の一部に形成し、手指の挿入を検知する検知手段を前記挿入口付近の装置本体の上面に配設し、前記蓋体には閉止時に前記検知手段が収納される収納部が形成されていることを特徴とする請求項１記載の手指乾燥装置。
【請求項３】
装置本体の上面に手指の挿入口を設け、該装置本体の内部の乾燥室内に噴出手段と赤外線照射手段とを配設させ、前記装置本体の上部を接地面に対して使用者の方向に向けて斜めに形成し、該装置本体の上面を幅広に開口させると共に前記挿入口を装置本体の開口部を閉塞させる別体の蓋体の一部に形成し、手指の挿入を検知する検知手段を前記蓋体に配設したことを特徴とする手指乾燥装置。
【請求項４】
前記蓋体は装置本体の開口部の大きさの略長矩形状の外縁から中央部側に向けて凹陥させて手指が挿入できる程度の略長矩形状の挿入口が形成され、前記検知手段は前記挿入口の側部に配設したことを特徴とする請求項３記載の手指乾燥装置。
【請求項５】
前記検知手段は前記蓋体の外部に配設したことを特徴とする請求項３記載の手指乾燥装置。
【請求項６】
前記挿入口から手指の挿入方向に向けてやや離れた位置の前記乾燥室の内部に高速空気流を噴出可能とした噴出孔を有する噴出手段を対向させて配設し、前記対向する噴出手段の間の距離は挿入した手を回転させることが可能な範囲以上の距離とすることを特徴とする請求項１乃至請求項５記載の手指乾燥装置。
【請求項７】
前記挿入口から手指の挿入方向に向けてやや離れた位置の前記乾燥室の内部に高速空気流を噴出可能とした噴出孔を有する噴出手段を対向させて配設し、前記対向させて配設された噴出手段の間の距離は１００ｍｍ以上とすることを特徴とする請求項１乃至請求項６記載の手指乾燥装置。
【請求項８】
装置本体及び乾燥室の表面には抗菌剤を塗布したことを特徴とする請求項１乃至請求項７記載の手指乾燥装置。
【請求項９】
装置本体及び乾燥室の表面には撥水剤を塗布したことを特徴とする請求項１乃至請求項８記載の手指乾燥装置。
【考案の詳細な説明】
【技術分野】
【０００１】
本考案は、衛生環境室や洗面所等において、洗浄後の水分が付着した手や指先を乾燥させ且つ除菌させる手指の乾燥装置に関するものである。また、本考案の乾燥装置は、本体内部でエアを循環させることで、外部への水滴の飛散を防止する吸引型の乾燥装置に関するものである。さらに、本考案は洗浄後の濡れた手指を乾燥させる手指乾燥装置において、特に手指を完全に乾燥させることを目的とする手指乾燥装置に関するものである。
【背景技術】
【０００２】
従来、室内空間に露出するノズルから温風を送付させることで、手や指先の乾燥を行うハンドタオルが知られている。
【０００３】
また、従来より、洗浄後の手指を乾燥させる手指乾燥装置が知られている。例えば、紫外線による殺菌等の付加機能を備えているものや、送風空気を環流させたりして加熱効率を向上させているものも開発されている。
【０００４】
上記のような手指乾燥装置に関する従来技術について説明すると、特許文献１の「手指除菌乾燥装置」は、装置本体の内部で温風等を吹き付けることによって、手指の投入口から周辺に向けて菌類や微塵を飛散させてしまうという問題点を解消するためになされたもので、装置本体の内部に吸引による飛散防止手段と、発熱手段とが設けられると共に、内部の雰囲気を排出させる排出部が設けられ、この排出部に吸引装置を介してフィルタを設けた構成としたものである。
【０００５】
また、特許文献２の「エア循環式手指除菌乾燥装置」は、特許文献１と同様に、
装置本体の内部で温風等を吹き付けることによって、手指の投入口から周辺に向けて菌類や微塵を飛散させてしまうという欠点を解消するためになされたもので、装置本体の内部の空間部へブロア手段を介して吹出口にエアを導入させるダクト手段を形成し、該ダクト手段へは外気に連通する排気口が設けられた構成を有するものである。
【０００６】
さらに、特許文献３の「手指乾燥装置」は、特許文献１、２と同様に、装置本体の内部で温風等を吹き付けることによって、手指の投入口から周辺に向けて菌類や微塵を飛散させてしまうという問題点を解消するためになされたものである。
【０００７】
その構成は、装置本体の上部を設置面に対して使用者の方向に向けて斜めに形成し、該装置本体の上面を幅広に開口させて乾燥室を形成すると共に、装置本体の上面の手指の挿入口を装置本体の開口部を閉塞させる別体の蓋体の一部に形成したものであり、乾燥室は開口部と略同程度の大きさの側壁と底壁とで囲まれた空間を有し、該乾燥室内が装置本体の上面の開口部から観察可能に形成された構成を有するものである。
【特許文献１】特開２０００−３７４４５号公報
【特許文献２】特開２００１−２４５８１９号公報
【特許文献３】特開２００４−９７７４１号公報
【考案の開示】
【考案が解決しようとする課題】
【０００８】
ところで、従来の手指乾燥装置は、室内に、手や指に当たったエアを散布するため、雑菌等を散乱させ、かえって衛生上の問題を生じるという欠点があった。これを防止するため、乾燥装置の上部の開口から手を挿入させ、その中で乾燥させるようにした装置も知られているが、手にエアが当たることにより室内や人間側に汚染されたエアが跳ね返り、また温風による対流現象により室内に向けてエアが散乱する等の現象が見られるため、より衛生的な乾燥装置が必要とされていた。
【０００９】
また、従来の手指乾燥装置は、手の乾燥に時間がかかったり、水滴が周囲に飛散したり、装置内に挿入している手の動きと温風の吐出動作がずれたり、乾燥作動に時間がかかったり、また乾燥の途中で送風が停止されたり、手を引いた後に無駄な送風がある等の問題点があり、使用者は不快感や苛立ち感や不安感を持ったりするものであった。
【００１０】
さらに、従来の手指乾燥装置は、停止時に装置上方の挿入口（手指の挿入口）より空気中の雑菌が落下し、装置内部に侵入して装置内部を汚染したり、装置を再度運転する場合には、汚染された装置内部の空気を排出するため、室内の空気が汚染されたり、使用者に対して汚染された空気を噴出してしまうという問題があった。
【００１１】
また、従来の手指乾燥装置としては、装置上方に配置された挿入口（手指の挿入口）近傍に使用者の手の挿入を検知するセンサーを配置したものも提案されているが、このセンサーは挿入口にいずれか一方の手の挿入があった場合に、これを検知して、手指乾燥装置を運転するものである。
【００１２】
このため、使用者によっては片手のみの挿入によって手指の乾燥を行ない、他方の手には充分な乾燥が行なわれないという問題がある。特に、食品や精密機械等の各種の工場や病院等においては、多数の使用者のなかには片手のみの乾燥だけで作業に就く者も存在するものであるが、使用者個々のモラルのみで両手の乾燥を実施させるのは困難であり、結果として作業環境や製品等を清潔に保つことが困難であるという問題があった。
【００１３】
さらに、従来の手指乾燥装置に設けられた吐出手段は、装置本体の内部の幅と略同一の幅に形成された単一の長方形によって構成されており、このような構成の吐出手段から噴出されるエアは装置の内部に挿入された手に対して略均一に噴出されるため、挿入した手の指の股や爪の付け根などの細部にまでエアが行き渡らず、指の股や爪の付け根などの細部の乾燥が不十分になるという問題を有していた。
【００１４】
本考案は、上記のような問題点を解消するためになされたもので、洗浄後の手指を乾燥させる手指乾燥装置において、手指の乾燥を行っている際に装置の周辺
に水滴や雑菌等を飛散させることがなく、また両手の乾燥を確実に実施させ、装置内に挿入した手指の動きと送風の吐出動作がずれたりせず、さらには手の指の股や爪の付け根などの細部の乾燥を行うことができる等、衛生的かつ快適に使用することができる手指乾燥装置を提供することを目的とする。
【課題を解決するための手段】
【００１５】
上記課題を解消するため、本考案の請求項１の手指乾燥装置は、装置本体の上面に手指の挿入口を設け、該装置本体の内部の乾燥室内に噴出手段と赤外線照射手段とを配設させ、手指の挿入を検知する検知手段を乾燥室外に配設したことを特徴とする。このような構成によれば、検知手段が手の挿入を的確に検知して、乾燥作動のタイミングを手の動きと一致させることを可能とし、使用者は不快感や苛立ち感や不安感を持ったりすることが無く、乾燥効率も向上することが可能である。
【００１６】
また、本考案の請求項２の手指乾燥装置は、請求項１において、装置本体の上面に手指の挿入口を設け、該装置本体の内部の乾燥室内に噴出手段と赤外線照射手段とを配設させ、前記装置本体の上部を接地面に対して使用者の方向に向けて斜めに形成し、該装置本体の上面を幅広に開口させると共に前記挿入口を装置本体の開口部を閉塞させる別体の蓋体の一部に形成し、手指の挿入を検知する検知手段を前記挿入口付近の装置本体の上面に配設し、前記蓋体には閉止時に前記検知手段が収納される収納部が形成されていることを特徴とする。このように蓋体を設けることで、未使用時の乾燥室の内部に外部からの埃などを流入することを防止すると共に、乾燥作動のタイミングを手の動きと一致させることを可能とし、使用者は不快感や苛立ちを持ったりすることが無く、乾燥効率も向上させることが可能である。
【００１７】
また、本考案の請求項３の手指乾燥装置は、装置本体の上面に手指の挿入口を設け、該装置本体の内部の乾燥室内に噴出手段と赤外線照射手段とを配設させ、前記装置本体の上部を接地面に対して使用者の方向に向けて斜めに形成し、該装置本体の上面を幅広に開口させると共に前記挿入口を装置本体の開口部を閉塞させる別体の蓋体の一部に形成し、手指の挿入を検知する検知手段を前記蓋体に配設したことを特徴とする。
【００１８】
また、本考案の請求項４の手指乾燥装置は、請求項３において、前記蓋体は装置本体の開口部の大きさの略長矩形状の外縁から中央部側に向けて凹陥させて手指が挿入できる程度の略長矩形状の挿入口が形成され、前記検知手段は前記挿入口の側部に配設したことを特徴とする。このような構成により、乾燥作動のタイミングを手の動きと一致させることを可能とし、使用者は不快感や苛立ちを持ったりすることが無く、乾燥効率も向上させることが可能である。
【００１９】
また、本考案の請求項５の手指乾燥装置は、請求項３において、前記検知手段は前記蓋体の外部に配設したことを特徴とする。上記の請求項２乃至請求項５の構成のように、蓋体を有する場合の検知手段は、前記蓋体に設けた挿入口には、開閉可能な各種の扉を配設すると共に、前記検知手段は前記蓋体の外部に配設することが可能であり、このような構成の場合には、検知手段は乾燥作動のタイミングと手の動きを一致させて、使用者の不快感や苛立ちを生じさせず、乾燥効率も向上させるといった効果だけでなく、前記挿入口に配設された扉の開閉のタイミングについても検知することが可能である。
【００２０】
また、本考案の請求項６の手指乾燥装置は、請求項１乃至請求項５において、前記挿入口から手指の挿入方向に向けてやや離れた位置の前記乾燥室の内部に高速空気流を噴出可能とした噴出孔を有する噴出手段を対向させて配設し、前記対向する噴出手段の間の距離は挿入した手を回転させることが可能な範囲以上の距離とすることを特徴とする。これによって、使用者は、乾燥室の内部で任意に手を回転或いは開閉したりして乾燥効率を向上させることを可能とする。
【００２１】
また、本考案の請求項７の手指乾燥装置は、請求項１乃至請求項６において、前記挿入口から手指の挿入方向に向けてやや離れた位置の前記乾燥室の内部に高速空気流を噴出可能とした噴出孔を有する噴出手段を対向させて配設し、前記対向させて配設された噴出手段の間の距離は１００ｍｍ以上とすることを特徴とする。なお、前記の対向する噴出手段の間の距離は好ましくは１２０ｍｍ以上とする。これは前記の対向する噴出手段の間の距離が１２０ｍｍ未満である場合には、挿入した手を回転させたりすると噴出手段に接触する可能性が高く、危険であり、これを回避するためには少なくとも１２０ｍｍ以上の距離を有する必要があるためである。
【００２２】
また、本考案の請求項８の手指乾燥装置は、請求項１乃至請求項７において、装置本体及び乾燥室の表面には抗菌剤を塗布したことを特徴とする。
【００２３】
また、本考案の請求項９の手指乾燥装置は、請求項１乃至請求項８において、装置本体及び乾燥室の表面には撥水剤を塗布したことを特徴とする。
【考案の効果】
【００２４】
上記の本考案の手指乾燥装置においては、吸引による水滴、エアの外部への飛散を防止し、オゾン含有エアを循環させる構成としてあるため、従来の温風乾燥によるハンドドライヤ等と比較して、室内空間と装置本体そのものを衛生的に保つことができ、手や指先に対しても殺菌乾燥を行えるという様々な効果を発揮することができる。
【００２５】
また、本考案は、上記のように構成することにより、使用者の手指の乾燥作業を行い易くするだけでなく、乾燥作動のタイミングを手の動きに一致させることが可能となり、使用者は不快感や苛立ち感や不安感を持ったりすることがなく、乾燥効率を向上させることが可能となる。
【００２６】
また、本考案の手指乾燥装置は、運転停止時間が一定時間以上に達した場合に自動的に一定時間運転を行うことによって、手指乾燥装置の停止時に装置の上方に形成した挿入口より装置内部へ侵入した雑菌を死滅せしめ、手指乾燥装置の内部を清浄に保つことを可能とする。
【００２７】
また、本考案の手指乾燥装置は、挿入口近傍に配設した検知手段が両手の挿入を検知した場合に運転を開始することによって、使用者が片手のみの挿入により手指の乾燥を行ない、他方の手は充分な乾燥が行なわれないという問題を解決し、両手を充分に乾燥させることを可能とする。
【００２８】
さらに、本考案の手指乾燥装置は、吐出手段を小型の長方形を複数整列させた形状として構成することによって、噴出されるエアは挿入された手の指の股や爪の付け根などの細部に直接的に達するため、挿入された手の指の股や爪の付け根などの細部にまでエアが行き渡って手指の乾燥を充分に行なうことを可能とする。
【考案を実施するための最良の形態】
【００２９】
以下、本考案の実施例について図面を参照しながら説明する。
【実施例１】
【００３０】
図１は本実施例による乾燥装置の内部を透視した概略正面図であり、図２は本実施例による乾燥装置の概略側面図であり、図３は本実施例の他の実施例に係る乾燥装置を示す概略正面図である。
【００３１】
本実施例の乾燥装置は、洗面所等の床面に載置させて使用するものであり、図１に示すように、装置本体１の上部に設けた開口部２と、該開口部２の内壁側からエアを噴出させる吐出手段（ジェットノズル）１０と、該開口部２に連通して本体内部側にエアを吸引する配管路から構成されたエア通路手段と、該エア通路手段内に設けたプレフィルタ６ａ、ヘパ（ＨＥＰＡ）フィルタ６ｂ等から成る清浄装置と、エア通路手段内のエアを吐出手段１０に循環させるブロアモータ４等から成る強制循環手段を備えたものである。
【００３２】
本実施例において、エア通路手段は、図１又は図２に示すように、装置本体１の上部に向けて手を挿入し易い形状で開口させた開口部２と、この開口部２から下部へ向けて配置させた本体上部側をやや広い容量とした吸引ダクト２ａと、該吸引ダクト２ａの下部に延長させた細長い配管路を経由して本体の下部に配置させたドレイン室３と、該ドレイン室３から、プレフィルタ６ａを介して上部に向けて配置したブロア室５と、このブロア室５の上部にへパフィルタ６ｂを介して設けた圧力調整分岐室７と、この圧力調整分岐室７の両側から延設させた一対の分岐管９と、この分岐管９から開口部２に沿って複数のノズル部を設けた吐出手段であるジェットノズル１０とを有している。
【００３３】
そして、ブロア室５に設けたブロアモータ４を作動させることにより、ジェットノズル１０から噴射されたエアを吸引させてエア通路を強制的に循環させる構成としている。
【００３４】
また、ブロアモータ４はエアを強制的に循環するだけでなく、加熱効果があり、従って、ジェットノズル１０から噴射されたエアは温風として人の手や指先に当たることになる。そして、本体内部側への吸引による負圧効果で、細菌類が含まれる水滴やエアを外部に飛散させずに循環させることができる。
【００３５】
本考案は、上記の構成において、オゾン発生装置８を圧力調整分岐室７の内部に配置させ、吐出手段であるジェットノズル１０に供給される直前のエアに対してオゾンを混合させるようにしている。
【００３６】
このオゾン発生装置８は、図１に示すように、沿面放電型のオゾナイザを使用することで、圧力調整分岐室７に流れるエアにオゾンを混合させることができる。また、図２に示すように、分岐管９へ混合させる形態を採ることも可能である。
【００３７】
このような構成によれば、ジェットノズル１０からオゾン含有エアを効果的に噴出させ、開口部２付近のエアから吸引ダクト２ａ内の内壁に付着した細菌類を殺菌して、手指の殺菌乾燥と共に装置本体内部の衛生を維持することができる。
【００３８】
さらに、図３に示すように、他の実施例として、オゾン発生装置８を圧力調整分岐室７の外部に配置させ、オゾン発生装置８から発生させたオゾンを分岐管９の途中に接続した細管９ａを経て、吐出手段であるジェットノズル１０に供給される直前のエアに対してオゾンを混合させるようにしてもよい。
【実施例２】
【００３９】
図４は、本考案の実施例２に係る手指乾燥装置の概略側方断面図である。この図に示す手指乾燥装置は、箱型の装置本体１を有し、装置本体１の上部を接地面に対して使用者側に向けて斜めに傾斜させたことで、使用者が手を挿入し易い方向に向けて開口させた構成としたものである。
【００４０】
そして、装置本体１の上面を幅広に開口させて乾燥室１２を形成すると共に挿入口１１を装置本体１の開口部１２ａを閉塞させる別体の蓋体２２の一部に形成している。より詳細には、装置本体１の開口部１２ａの大きさの略長矩形状の外縁から中央部側に向けて凹陥させて手指Ｈ（図８参照）が挿入できる程度の略長矩形状の挿入口１１（図５参照）を形成する。また、図５又は図６に示すように、検知手段１９が蓋体２２に形成された挿入口１１の側部に設けられている。
【００４１】
このような構成によって、検知手段１９が手指Ｈの挿入を的確に検知して、手指乾燥装置の作動タイミングが手の動きと一致することにより、使用者は不快感、苛立ち感或いは不安感を持ったりすることが無く、乾燥効率も向上させることが可能となる。また、検知手段１９は検知する方向を任意に変更可能として、微調整を行うことが可能である。
【００４２】
また、図４に示す蓋体２２としては、装置本体１の開口部１２ａの大きさの略長矩形状の外縁から中央部側に向けて凹陥させて手指Ｈが挿入できる程度の略長矩形状の挿入口１１が形成され、その挿入口１１の周辺となる凹陥部の平坦面に乾燥方法を説明する表示部１５（図５参照）を設けることができる。この表示部１５は、内部にバックライト方式で照明装置を設け、使用時にこの照明装置を点灯させることで、強調させることができる。
【００４３】
また、乾燥室１２は、図４に示すように、開口部１２ａと略同程度の大きさの側壁１２ｂと底壁１２ｃとで囲まれた略直方体形状の空間を有すると共に、乾燥室１２内、より詳細には、乾燥室１２内の全壁が装置本体１の上面の開口部１２ａから観察可能となるように形成されている。
【００４４】
さらに、乾燥室１２の底壁１２ｃは、乾燥室１２の内壁に付着した水滴や、後述する洗浄液が自重で流出できるように接地面に対して斜めに形成され、該底壁１２ｃの最下方には外部へ連通する排気及び排水路１８が設けられている。この排気及び排水路１８は、本実施例では下方向へ伸びる垂直なダクトと装置本体１の底部側に設けた水受け部１６から構成されている。
【００４５】
また、水受け部１６は吸引手段であるブロアモータ２８にプレフィルタ２０を通して連通され、吸引された空気はヘパフィルタ２９を通過することによって清浄化される。
【００４６】
そして、図４に示すように、装置本体１の先端の挿入口１１から手指の挿入方向に向けてやや離れた位置の本体内部には、高速空気流を噴出可能とした一対の噴出手段、具体的にはダクト型ノズル２５、２５が手の甲と手のひら側で対向させた状態に設けられ、挿入した手を回転させることが可能な範囲以上の距離を空けて対向配置させている。このように対向配設された噴出手段（ダクト型ノズル２５、２５）の間の距離は、具体的には１００ｍｍ以上の距離にするのが望ましい。
【００４７】
これは、上記のように対向する噴出手段（ダクト型ノズル２５、２５）の間の距離が１００ｍｍ未満である場合には、挿入した手指を回転させたりすると噴出手段（ダクト型ノズル２５、２５）に接触する可能性が高く、危険であり、これを回避するためには少なくとも１００ｍｍ以上の距離を有する必要があるためである。
【００４８】
さらに、ダクト型ノズル２５から手指の挿入方向に向けてやや離れた位置の本体内部には一対の赤外線を照射する赤外線照射手段であるハロゲンランプ１３、１３が同様に対向された状態で配設されている。
【００４９】
上記のダクト型ノズル２５は、フィルタ等を通過する空気流路の先端部に配置されるもので、装置本体１の下部に配置されたフィルタ及び継手から延出されると共にダクトを通じて装置本体１の上部まで導出され、挿入口１１の近傍で円筒形状のダクト型ノズル２５として形成されている。そして、このダクト型ノズル２５上には、例えば、図７に示すように、長手方向に所定間隔をあけて並べた状態で複数の噴出孔２５ａ、２５ａ…が設けられ、これにより高速空気流の噴出を可能としている。
【００５０】
本考案においては、図４に示すように、噴出手段であるダクト型ノズル２５と、赤外線照射手段であるハロゲンランプ１３を別位置に設けることも可能であるが、小型化を実現して乾燥室１２内を広く確保するために、図７及び図８に示す赤外線照射手段であるハロゲンランプ１３をダクト型ノズル２５の噴出孔２５ａの配列に沿って棒形状に設けることによって、噴出手段（ダクト型ノズル２５）の内部に設けるようにしてもよい。
【００５１】
上記の構成によれば、手指の挿入口１１（図８参照）の左右方向にダクト型ノズル２５、２５に設けられた複数の噴出孔（図７参照）２５ａ、２５ａ…が直線状に並列され、夫々の噴出孔２５ａ、２５ａ…から高速空気流が噴出されることにより、大きな水滴を手指より除去することができ、また手指の表面に残った水に赤外線を照射することにより、水を気化させることができるため、手指を完全に乾かすことが可能となる。
【００５２】
特に、図７及び図８の構成では、手指Ｈは赤外線照射手段を構成するハロゲンランプ１３に直接接触することがないため、やけどを効果的に防止することができ、手指Ｈの全体に赤外線の照射と空気流の噴射を同時に実現できる。
【００５３】
また、本考案の手指乾燥装置においては、図９及び図１０に示すように、乾燥室１２内または排気及び排水路１８の適宜箇所に、水や薬液などの洗浄液を散布する洗浄手段２３が設けられている。この洗浄手段２３は、本実施例では、装置本体１の開口部１２ａ近傍に設けられ、乾燥室１２内の全体に対して洗浄液を散布することが可能とされている。
【００５４】
なお、図９に示すように、装置本体１の下部には排出口２６ａを設けることによって、水受け部１６に溜まった水分を排出することができる。
【００５５】
さらに、図１０に示すように、乾燥室１２内または排気及び排水路１８には、紫外線灯やオゾン発生装置等から成る殺菌手段２４が設けられている。本実施例では、殺菌手段２４は、乾燥室１２の底壁１２ｃ側の内壁面と排気及び排水路１８の排出口近傍の二箇所に配置されている。
【００５６】
上記の洗浄手段２３及び殺菌手段２４は、手動スイッチ等で作動させることも可能であるが、タイマー等と連動させて定期運転をさせることも可能である。
【００５７】
また、装置本体１及び乾燥室１２の表面には抗菌剤及び撥水剤を塗布することにより、汚水等の汚れが装置本体１及び乾燥室１２に付着することを防止することも可能である。
【００５８】
上記のように構成された装置を使用するに際しては、挿入口１１より手指を挿入することによって、所定の機構動作が実行され、大きな水滴は左右方向に並ぶダクト型ノズル２５、２５の複数の噴出孔２５ａ、２５ａ…の列から噴出される高速空気流により取り除かれる。
【００５９】
同時に、手指の表面に残った水にはハロゲンランプ１３により赤外線を照射して、水を気化させることができる。このとき、手指において赤外線が照射された箇所は、表面温度が上昇して熱くなるが、左右のダクト型ノズル２５、２５の複数の噴出孔２５ａ、２５ａ…から空気を噴き付けることにより、手指の表面温度を下げることができる。
【００６０】
即ち、高速空気流の噴出口である複数の噴出孔２５ａ、２５ａ…は、挿入口１１の長手方向に対して平行に設けられており、これらの噴出孔２５ａ、２５ａ…と同様に、手指の挿入口１１に対して平行若しくは内部にハロゲンランプ１３を設けているため、このハロゲンランプ１３より赤外線が照射されている位置の近傍またはその位置に高速空気流が噴出されることとなり、これにより手指の温度上昇を抑制しつつ乾燥させることができる。
【００６１】
また、一般に、使用者は、ハロゲンランプ１３の熱よりも、高速空気流の圧力の方を体感し易いため、高速空気流の当たる位置で手指の挿入深さを調節する傾向があり、高速空気流の当たる位置と赤外線が照射される位置が離れている場合には、赤外線が照射されない箇所を生じるおそれがある。
【００６２】
しかしながら、本考案においては、上記のようにハロゲンランプ１３による赤外線が照射されている位置の近傍に高速空気流が当たるように構成されているため、赤外線の照射されない箇所を生じるおそれがない。特に、図７及び図８の例では、ハロゲンランプ１３による赤外線が照射されている位置に、同時に高速空気流が当たるため、赤外線の照射されない箇所が生じない。
【実施例３】
【００６３】
本実施例において、実施例２と同一符号のものは同一構造を有し、説明は省略する。
【００６４】
図１１に示す本実施例の装置本体１の開口部１２ａを閉塞する蓋体２２においては、検知手段１９が該蓋体２２の外部に配設され、蓋体２２に設けられた挿入口１１には、さらに開閉可能な各種の扉１４を設けることができる。なお、図１１は、開口面に沿って設けた回転軸１７により回転式に開閉する扉１４を示しており、図１２及び図１３は、開口面に沿って摺動させるスライド式の扉１４を示している。
【００６５】
このような構成にすることにより、検知手段１９は乾燥作動のタイミングと手の動きとを一致させて、使用者の不快感や苛立ちを生じさせずに、乾燥効率も向上するという効果だけではなく、挿入口１１に配設された扉１４の開閉のタイミングについても検知することが可能である。
【実施例４】
【００６６】
本実施例において、実施例２及び実施例３と同一符号のものは同一構造を有し、説明は省略する。
【００６７】
図１４に示す本実施例装置は、装置本体１の上面に手指の挿入口１１を設け、該装置本体１の内部の乾燥室１２内に噴出手段（ダクト型ノズル２５）と赤外線照射手段（ハロゲンランプ１３）とを配設させ、装置本体１の上部を接地面に対して使用者の方向に向けて斜めに形成し、該装置本体１の上面を幅広に開口させると共に挿入口１１を装置本体１の開口部１２ａを閉塞させる別体の蓋体２２の一部に形成し、手指の挿入を検知する検知手段１９が挿入口１１付近の装置本体１の上面に配設されたものであり、蓋体２２には閉止時に検知手段１９が収納される収納部が形成されるように構成されている。
【００６８】
なお、図示はしていないが、蓋体２２に検知手段１９を配設した場合には、電源コード（不図示）が装置本体１より延びているため、雑然とした状態で放置され、装飾性を損するが、本実施例においては、蓋体２２に検知手段１９を配設せずに装置本体１の上面に検知手段１９を配設することにより、電源コードが装置本体１の内部を通過して外観に現れることがなく、装飾性を損することがない。
【実施例５】
【００６９】
図１５は、本実施例による手指乾燥装置の概略側方断面図である。この手指乾燥装置は、箱型の装置本体１を有し、装置本体１の上部を接地面に対して使用者側に向けて斜めに傾斜させて形成することで、使用者が手を挿入し易い方向に向けて開口させている。そして、装置本体１の上面を幅広に開口させて乾燥室１２を形成すると共に、挿入口１１を装置本体１の開口部１２ａを閉塞させる別体の蓋体２２の一部、詳細には、装置本体１の開口１２ａの大きさの略長矩形状の外縁から中央部側に向けて凹陥させて手指が挿入できる程度の略長矩形状の挿入口１１を形成すると共に、図１７に示すように、蓋体２２に形成された挿入口１１の短辺に使用者の左右の手を個別に検知する検知手段１９ａ、１９ｂから構成される一対の検知手段を配設してある。
【００７０】
これらの一対の検知手段１９ａ、１９ｂはそれぞれの検知範囲を３ｃｍとすると共に、使用者により挿入される左右の手を個別に検知し、該一対の検知手段１９ａ、１９ｂが共に手の挿入を検知した場合に運転を開始する構成とする。これによって、本実施例の手指乾燥装置は、使用者の両方の手を確実に乾燥せしめて作業環境や製品等を清浄に保つことを可能とする。
【００７１】
また、図１５において、蓋体２２には、装置本体１の開口１２ａの大きさの略長矩形状の外縁から中央部側に向けて凹陥させて手指が挿入できる程度の略長矩形状の挿入口１１が形成され、図１７に示すように、その挿入口１１の周辺となる凹陥部の平坦面に乾燥方法を説明する表示部１５を設けることができる。この表示部１５は、内部にバックライト方式で照明装置を設け、使用時にこの照明装置を点灯させることで、強調させることができる。
【００７２】
また、乾燥室１２は、開口１２ａと略同程度の大きさの側壁１２ｂと底壁１２ｃとで囲まれた略直方体形状の空間を有すると共に、乾燥室１２内、より詳細には、乾燥室１２内の全壁が装置本体１の上面の開口１２ａから観察可能に形成されている。
【００７３】
さらに、乾燥室１２の底壁１２ｃは、乾燥室１２の内壁に付着した水滴や、後
述する洗浄液が自重で流出できるように接地面に対して斜めに形成され、該底壁１２ｃの最下方には外部へ連通する排気及び排水路１８が設けられている。この、排気及び排水路１８は、本実施例では下方向へ伸びる垂直なダクトと装置本体１の底部側に設けられた水受け部１６とから構成されている。また、水受け部１６は吸引手段であるブロアモータ２８にプレフィルタ２０を通して連通され、吸引された空気はヘパフィルタ２９を通過することによって清浄化される。
【００７４】
そして、装置本体１の先端の挿入口１１から手指の挿入方向に向けてやや離れた位置の本体内部には、高速空気流を噴出可能とした一対の噴出手段、具体的にはダクト型ノズル２５、２５が手の甲と手のひら側で対向させた状態で挿入した手を回転させることが可能な範囲以上の距離を空けて配設されている。このように対向させて配設された噴出手段の間の距離は、具体的には１００ｍｍ以上の距離であるのが望ましい。これは、対向する噴出手段の間の距離が１００ｍｍ未満である場合、挿入した手指を回転させたりすると噴出手段に接触する可能性が高く、危険であり、これを回避するためには少なくとも１２０ｍｍ以上の距離を有する必要があるためである。
【００７５】
さらに、ダクト型ノズル２５から手指の挿入方向に向けてやや離れた位置の本体内部には一対の赤外線を照射する赤外線照射手段であるハロゲンランプ１３が同様に対向させて配設されている。
【００７６】
ダクト型ノズル２５は、フィルタ等を通過する空気流路の先端部に配置されるもので、装置本体１の下部に配置されたフィルタ及び継手から延出されると共にダクトを通じて装置本体１の上部まで導出されて、開口１２ａの近傍で、円筒形状のダクト型ノズル２５として形成されている。
【００７７】
このダクト型ノズル２５には、図１８に示すように、長手方向に所定の間隔を置いて小型の長方形状の複数の噴出孔２５ａ、２５ａ…が整列配置され、夫々の噴出孔２５ａがダクト型ノズル２５に左右に偏在して整列するように配置されたことによって、噴出されるエアは挿入された手の指の股や爪の付け根などの細部に直接的に達するため、挿入された手の指の股や爪の付け根などの細部にまでエアが行き渡ることによって、手指の乾燥を充分に行なうことが可能となる。
【００７８】
本実施例では、噴出手段であるダクト型ノズル２５と、赤外線照射手段であるハロゲンランプ１３を別位置に設けることも可能であるが、小型化を実現して乾燥室１２内を広く確保するために、図１８に示す通り赤外線照射手段であるハロゲンランプ１３をダクト型ノズル２５の噴出孔２５ａの配列に沿って棒形状に設けることにより、赤外線照射手段を噴出手段の内部に配設した構成としている。このような構成とすることにより、手指は赤外線照射手段を構成するハロゲンランプ１３に直接接触することがないため、やけどを効果的に防止することができ、手指の全体に赤外線の照射と空気流の噴射を同時に実現することができる。
【００７９】
上記の構成によれば、手指の挿入部における左右方向に直線状に小孔が並ぶ噴出孔２５ａ、２５ａから噴出される高速空気流の噴出により、大きな水滴を手指より除去すると共に、手指の表面に残った水に赤外線を照射することにより、水を気化させるため、手指を完全に乾燥させることができる。
【００８０】
また、本実施例の手指乾燥装置においても、図９及び図１０に示すように、乾燥室１２内または排気及び排水路１８の適宜箇所に、水や薬液などの洗浄液を散布する洗浄手段２３を設けるようにしてもよい。本実施例においては、この洗浄手段２３を装置本体１の開口部１２ａ近傍に設け、乾燥室１２の内部全体に対して洗浄液を散布することが可能な構成としてもよい。
【００８１】
また、乾燥室１２内または排気及び排水路１８には、図１０に示すように、紫外線灯、オゾン発生装置等から成る殺菌手段２４を設けてもよい。本実施例においては、この殺菌手段２４は乾燥室１２の底壁１２ｃ側の内壁面と排気及び排水路１８の排出口近傍の２箇所に配置するようにしている。
【００８２】
ところで、本実施例の手指乾燥装置においては、図１６に示すフローチャートのように、運転が停止してからの経過時間を測定し、運転停止時間が１時間に達したと判断した場合には、２分間の自動運転を行い、２分間の自動運転が終了した後には、再度運転を停止する。また、運転が停止してからの経過時間が３時間に満たないうちに使用者の手の挿入を検知して運転が行われた場合には、運転終了後から再度運転停止時間を測定し直す。このため、本実施例の手指乾燥装置は、運転停止中に本体内部へ侵入した雑菌を死滅せしめ、本体内部を清浄に保つことが可能である。
【００８３】
また、本考案の手指乾燥装置の装置本体１の内部及び乾燥室１２は抗菌剤及び撥水剤により表面が加工されており、汚水等の汚れが本体に付着することを防止することが可能である。装置本体１の内部の表面に施される加工は、本実施例においては、例えばフッ素加工が挙げられる。
【実施例６】
【００８４】
この実施例において、実施例５と同一符号のものは同一構造を有し、説明は省略する。
【００８５】
図１９に示す本実施例の検知手段は、上記の挿入口１１の長辺に使用者の左右の手を個別に検知する検知手段１９ａ、１９ｂから構成される二対の検知手段が配設され、これらの二対の検知手段１９ａ、１９ｂは使用者により挿入される左右の手を個別に検知し、二対の検知手段１９ａ、１９ｂが共に手の挿入を検知した場合に運転を行う構成としている。このような構成とすることにより、検知手段１９ａ、１９ｂが使用者の両方の手指の挿入を検知し、使用者の両方の手指を確実に乾燥せしめて作業環境や製品等を清浄に保つことが可能となる。
【産業上の利用可能性】
【００８６】
本考案の手指乾燥装置は、装置内の水滴やエアが外部へ飛散するのを吸引作用によって防止すると共に、オゾン含有エアを循環させる構成により、室内空間と装置本体そのものを衛生的に保つことができ、手や指先に対しても殺菌乾燥を行うことが可能であり、また乾燥作動のタイミングを手の動きと一致させ、さらには使用者が両手を挿入することによって装置が作動する構成により、両手の充分な乾燥及び殺菌が実行されるものであり、快適かつ衛生的に使用することができる手指乾燥装置としての利用が可能である。
【図面の簡単な説明】
【００８７】
【図１】本考案による実施例１に係る手指乾燥装置において内部を透視した正面概略図である。
【図２】本考案による実施例１に係る手指乾燥装置において内部を透視した側面概略図である。
【図３】本考案による実施例１に係る手指乾燥装置の他の実施例を示す正面概略図である。
【図４】本考案による実施例２に係る手指乾燥装置の概略側方断面図である。
【図５】本考案による実施例２に係る手指乾燥装置の蓋体を説明するための概略上面図である。
【図６】本考案による実施例２に係る手指乾燥装置の概略側方断面図である。
【図７】本考案による実施例２に係る手指乾燥装置のダクト型ノズルの概略図である。
【図８】本考案による実施例２に係る手指乾燥装置のダクト型ノズルの説明図である。
【図９】本考案による実施例２に係る手指乾燥装置の洗浄手段を示す概略側方断面図である。
【図１０】本考案による実施例２に係る手指乾燥装置の殺菌手段を説明するための概略側方断面図である。
【図１１】本考案による実施例３に係る手指乾燥装置の概略側方断面図である。
【図１２】本考案による実施例３に係る手指乾燥装置の蓋体における挿入口を説明する概略側方断面図である。
【図１３】本考案による実施例３に係る手指乾燥装置の蓋体における挿入口を説明する概略側方断面図である。
【図１４】本考案による実施例４に係る手指乾燥装置の概略側方断面図である。
【図１５】本考案による実施例５に係る手指乾燥装置の概略側方断面図である。
【図１６】本考案による実施例５に係る手指乾燥装置のフローチャートである。
【図１７】本考案による実施例５に係る手指乾燥装置のセンサーを説明する要部拡大図である。
【図１８】本考案による実施例５に係る手指乾燥装置のダクト型ノズルの概略図である。
【図１９】本考案による実施例６に係る手指乾燥装置のセンサーを説明する要部拡大図である。
【符号の説明】
【００８８】
１     装置本体
２     開口部
２ａ   吸引ダクト
３     ドレイン室
４     ブロアモータ
５     ブロア室
６ａ   プレフィルタ
６ｂ   ヘパフィルタ
７     圧力調整分岐室
８     オゾン発生装置
９     分岐管
９ａ   細管
１０   吐出手段（ジェットノズル）
１１   挿入口
１２   乾燥室
１２ａ 開口部
１２ｂ 側壁
１２ｃ 底壁
１３   ハロゲンランプ
１４   扉
１５   表示部
１６   水受け部
１７   回転軸
１８   排水路
１９   検知手段
２０   プレフィルタ
２２   蓋体
２３   洗浄手段
２４   殺菌手段
２５   ダクト型ノズル
２５ａ 噴出孔
２８   ブロアモータ
２９   ヘパフィルタ
Ｈ     手指
【図１】
0003141394.tif 000003
【図２】
0003141394.tif 000004
【図３】
0003141394.tif 000005
【図４】
0003141394.tif 000006
【図５】
0003141394.tif 000007
【図６】
0003141394.tif 000008
【図７】
0003141394.tif 000009
【図８】
0003141394.tif 000010
【図９】
0003141394.tif 000011
【図１０】
0003141394.tif 000012
【図１１】
0003141394.tif 000013
【図１２】
0003141394.tif 000014
【図１３】
0003141394.tif 000015
【図１４】
0003141394.tif 000016
【図１５】
0003141394.tif 000017
【図１６】
0003141394.tif 000018
【図１７】
0003141394.tif 000019
【図１８】
0003141394.tif 000020
【図１９】
0003141394.tif 000021